(57)【要約】      （修正有）【課題】手で直接洗剤を持つ事がなく手荒れの緩和ができ、水切りも簡単で、場所を取らないスタンド型ハンドル付スポンジを提供する。【解決手段】空洞のハンドル先端中央に極小の穴を開け、そこから液体洗剤が流れ、スポンジ側にハンドル本体に装着できるカートリッジを付け、その中央にも小さな穴を開け、ハンドル本体から流れ出る液体洗剤がスポンジに浸み込む構造であり、ハンドル部分後方に回転式の蓋を付けて開閉を自在にし、そこから液体洗剤を入れ、その蓋の最後方を円形状にし、その円形を底辺にして自立する。【選択図】図３
0003188979.tif 000002
【実用新案登録請求の範囲】
【請求項１】
本案件は、ハンドル付きスポンジで、ハンドル部分に洗剤が入る構造になっている。
【請求項２】
ハンドル本体とスポンジを固定する為のカートリッジが、スポンジ部分に固定されている。
【請求項３】
ハンドル本体とカートリッジ部分の中心に小さな穴をあけて、洗剤が自動的に出てくるシステムになっている。
【請求項４】
本体の小さな穴から洗剤が流れでて、カートリッジの穴から洗剤がスポンジに浸透して、エンドレスに洗い物をする事ができる。
【請求項５】
カートリッジ付きスポンジは、替えスポンジで、摩耗してきたらワンタッチで交換でき、いつも新しいスポンジで洗い物ができる。
【請求項６】
ハンドル本体に洗剤を入れる為のキャップの部分を大きな円形にして、ハンドル本体を自立させる事ができる。
【請求項７】
ハンドル本体を自立させる事によって、洗い物をしていない時、先端の小さな穴から洗剤の漏れを防ぐ事ができる。
【考案の詳細な説明】
【技術分野】
【０００１】本考案は食器などを洗う為のハンドル付きスポンジ。そのハンドルの中に洗剤が入り、自動的に洗剤がスポンジに染み込み、エンドレスに洗い物ができる。また、ハンディー・スポンジを自立させる事ができるスタンド式である。
【背景技術】
【０００２】従来の食器洗いスポンジには、スポンジにハンドルを付けた物がある（実用新案出願平５−４６５５８）。また、スポンジの取り外しができ、長い持ち手が付いている浴槽を洗う物がある（実用新案出願２０１０−５５１０）。
何れも、洗剤をスポンジに付けて使用するものである。
0003188979.tif 000003
【先行技術文献】
【特許文献】
【特許文献１】実用新案出願平５−４６５５８
【特許文献２】実用新案出願２０１０−５５１０
【考案の概要】
【考案が解決しようとする課題】
【０００６】従来のスポンジはハンドルが付いていても、手で洗剤を持ちスポンジに付けて使用する。その為、洗い物を中断したり、手に洗剤が付いたりして、手荒れの元凶になる。また、スポンジの水切りをする為に水切りラック等が必要になり、台所回りに専用の場所を取る。
【課題を解決するための手段】
【０００７】本考案は、ハンドル部分に洗剤が入るスペースを確保し、尚且つ持ち易いようにデザインされている。また、ハンドルの中に入っている洗剤が自動的に流れ出る為、洗剤が直接手に付かないので手荒れの防止になる。そして、ハンディー・スポンジ本体が自立できるように、キャップの部分を円形にしてスタンドの台になるようにデザインされている。
【考案の効果】
【０００８】本考案は、ハンドル部分に洗剤が入る為、洗い物をエンドレスに洗えるので、効率がよく、また、手荒れの防止にもなる。また、ハンディー・スポンジ自体が自立できる為、洗い場に水切りラックなども無用になり、場所を取らない。そして、スポンジ部分は取替え式で、摩耗してきたら直ぐに取り替える事ができ、とても経済的である。
【図面の簡単な説明】
【０００９】
【図１】ハンディー・スポンジ平面図、
【図２】〃  裏面図、
【図３】〃  右側面図、
【図４】〃  左側面図、
【図５】〃  立面図、
【図６】〃  背面図、
【考案を実施するための形態】
【００１０】ハンドル部分に洗剤を入れる為、可能な限り容量を大きくして、手に持ち易い形を追求する。また、ハンディー・スポンジ本体を自立させる為にキャップ部分を円形にして、バランス良く安定させる。また、洗い物をしている時に持ち手が滑らないように、滑り止め用に突起などを付けて防止する。
【実施例】
【００１１】ハンディー・スポンジ本体のスポンジ装着部分の中心に、小さい穴をあけて洗剤が自動的に流れ出るようにする。そして、スポンジを装着させるカートリッジ部分の中心に、小さな穴をあける。その、小さな穴の部分が双方同じ位置になるようにして、本体の洗剤が自動的にカートリッジの穴に流れ込み、スポンジに染み込んでエンドレスに洗い物を続ける事ができる。【００１２】
0003188979.tif 000004
【図１】
0003188979.tif 000005
【図２】
0003188979.tif 000006
【図３】
0003188979.tif 000007
【図４】
0003188979.tif 000008
【図５】
0003188979.tif 000009
【図６】
0003188979.tif 000010
【図１】
0003188979.tif 000011
【図２】
0003188979.tif 000012
【図３】
0003188979.tif 000013
【図４】
0003188979.tif 000014
【手続補正書】
【提出日】平成25年11月22日(2013.11.22)
【手続補正１】
【補正対象書類名】実用新案登録請求の範囲
【補正対象項目名】全文
【補正方法】変更
【補正の内容】
【実用新案登録請求の範囲】
【請求項１】
下記の（▲１▼〜▲３▼）構造を有するスタンド型ハンドル付スポンジであって、
▲１▼空洞のハンドル先端中央に極小の穴を開け、そこから液体洗剤が流れ、
▲２▼スポンジ側にハンドル本体に装着できるカートリッジを付け、その中央にも小さな穴を開け、ハンドル本体から流れ出る液体洗剤がスポンジに浸み込む構造、
▲３▼ハンドル部分後方に回転式の蓋を付けて開閉を自在にし、そこから液体洗剤を入れ、その蓋の最後方を円形状にし、その円形を底辺にしてスタンド型ハンドル付スポンジ本体を自立させる構造。
【手続補正２】
【補正対象書類名】明細書
【補正対象項目名】全文
【補正方法】変更
【補正の内容】
【考案の詳細な説明】
【技術分野】
【０００１】  本考案は食器などを洗う為のスタンド型ハンドル付スポンジである。ハンドルの全体を空洞にして、その中に液体洗剤を入れられるのが特徴である。ハンドル部分の後方に回転式の蓋を付けて開閉を自在し、そこから液体洗剤を入れる。空洞のハンドル先端中央に極小の穴を開け、そこから液体洗剤が流れ出てスポンジに浸み込み食器などを洗う事ができる。スポンジ側にはハンドル本体に装着出来るようにカートリッジを付け、そのカートリッジの中央にも小さな穴を開け、そこからハンドル側に入っている液体洗剤が流れ込み、スポンジに浸み込んで連続的に洗い物が出来る。
スタンド型ハンドル付スポンジの持ち手蓋部分の最後方を円錐形状にし、その円形を底辺にして、スタンド型ハンドル付スポンジ本体を自立させる事も特徴である。スポンジ部分はカートリッジで取り外しができ、摩耗したスポンジを簡単に取り替える事ができる。
【考案の概要】
【考案が解決しようとする課題】
【０００２】解決しようとする問題点は、従来のスポンジの食器洗いなどは、たとえハンドルが付いていても、スポンジに直接洗剤を付けて使用する。その為、洗い物を中断したり、手に洗剤が付いたりして、手荒れの元凶になる。また、スポンジの水切りをする為に水切り用ラック等が必要になり、台所回りに専用の場所を設けなければならない。
【課題を解決するための手段】
【０００３】  本考案は、ハンドル全体を空洞にしてその中に液体洗剤が入れられる構造になっている為、そこから流れ出る洗剤で連続的に食器などを洗えることを最も主要な特徴とする。その為、手で直接洗剤を持つ事がなく手荒れの緩和ができる。また、ハンドルの持ち手部分後方の回転式の蓋の形状を円錐形にし、その円形を底辺してスタンド型ハンドル付スポンジ本体を自立させる事ができる。その為、スポンジの水切りも簡単にでき、場所を取らない事も特徴である。
【考案の効果】
【０００４】本考案は、空洞にしたハンドル全体に液体洗剤を入れる事ができる為、食器などを連続的に洗えるので効率がよく、また、手荒れの防止対策に貢献ができる。スタンド型ハンドル付スポンジ本体を自立させる事ができる為、洗い場にスポンジ専用の水切りラックなどが不要になり場所を取らない。スポンジ部分は取り外しが簡単で、摩耗してきたら直ぐに取り替える事ができ経済的である。
【図面の簡単な説明】
【０００５】
【図１】スタンド型ハンドル付スポンジ  平面図
【図２】スタンド型ハンドル付スポンジ  裏面図
【図３】スタンド型ハンドル付スポンジ  右側面図
【図４】スタンド型ハンドル付スポンジ  左側面図
【図５】スタンド型ハンドル付スポンジ  立面図
【図６】スタンド型ハンドル付スポンジ  背面図
【図７】スタンド型ハンドル付スポンジ  スポンジ無の裏面図
【図８】スタンド型ハンドル付スポンジ  替スポンジ平面図
【図９】スタンド型ハンドル付スポンジ  替スポンジ裏面図
【図１０】スタンド型ハンドル付スポンジ  替スポンジ左側面図
【図１１】スタンド型ハンドル付スポンジ  替スポンジ右側面図
【図１２】スタンド型ハンドル付スポンジ  替スポンジ立面図
【図１３】スタンド型ハンドル付スポンジ  替スポンジ後面図
【符号の説明】
【０００６】１．スタンド型ハンドル付スポンジ本体、樹脂製
２．洗剤の残量が分る窓
３．カートリッジ付の替えスポンジ、この部分は堅いタワシ
４．手が滑らないように凸凹を付けた滑り止め
５．スポンジとタワシ部分を接着させる
６．空洞のハンドル先端中央に極小の穴を開ける
【手続補正３】
【補正対象書類名】図面
【補正対象項目名】全図
【補正方法】変更
【補正の内容】
【図１】
0003188979.tif 000015
【図２】
0003188979.tif 000016
【図３】
0003188979.tif 000017
【図４】
0003188979.tif 000018
【図５】
0003188979.tif 000019
【図６】
0003188979.tif 000020
【図７】
0003188979.tif 000021
【図８】
0003188979.tif 000022
【図９】
0003188979.tif 000023
【図１０】
0003188979.tif 000024
【図１１】
0003188979.tif 000025
【図１２】
0003188979.tif 000026
【図１３】
0003188979.tif 000027